(57)【要約】【課題】ユーザが立体映像表示を制御でき、入力映像が立体映像データの場合に左眼映像と右眼映像に分離する過程を省略できる電子映像機器及びその駆動方法。【解決手段】本発明による電子映像機器は、入力映像信号によって立体映像データ信号を生成する制御部と、前記立体映像データ信号の生成を制御するモード選択部を含み、前記制御部は、前記入力映像信号から第１時点に対応する第１時点映像及び前記第１時点とは異なっている第２時点に対応する第２時点映像を生成する３Ｄグラフィックエンジンと、前記第１時点映像及び前記第２時点映像または前記入力映像信号を受信して前記立体映像データ信号を生成する３Ｄチップを含み、前記モード選択部は前記入力信号が平面映像データであれば前記入力映像信号が前記３Ｄグラフィックエンジンに入力するように前記制御部を制御し、立体映像データであれば前記３Ｄチップに入力するように前記制御部を制御する。【選択図】図１
2010183555.tif 000002
【特許請求の範囲】
【請求項１】
入力信号の入力映像信号によって立体映像データ信号を生成する制御部と、
ユーザの選択及び前記入力信号のパターンにより前記立体映像データ信号の生成を制御するモード選択部を含み、
前記制御部は、
前記入力映像信号から第１時点に対応する第１時点映像及び前記第１時点とは異なっている第２時点に対応する第２時点映像を生成する３Ｄグラフィックエンジンと、
前記第１時点映像及び前記第２時点映像または前記入力映像信号の伝達を受けて、前記立体映像データ信号を生成する３Ｄチップを含み、
前記モード選択部は、
前記ユーザが立体映像表示を選択した場合に前記入力信号が平面映像データであれば、前記入力映像信号が前記３Ｄグラフィックエンジンに入力されるように前記制御部を制御し、前記入力信号が立体映像データであれば、前記入力映像信号を前記３Ｄチップに入力されるように前記制御部を制御することを特徴とする電子映像機器。
【請求項２】
前記制御部は、前記入力信号の印加を受けて前記入力映像信号を生成し、前記モード選択部によって制御されて前記入力映像信号を前記３Ｄグラフィックエンジン及び３Ｄチップのうちいずれか一つに伝達するＣＰＵをさらに含むことを特徴とする請求項１に記載の電子映像機器。
【請求項３】
前記第１時点は左眼時点であり、前記第２時点は右眼時点であることを特徴とする請求項１に記載の電子映像機器。
【請求項４】
前記立体映像データ信号は前記第１時点映像及び第２時点映像の順に合成された第１立体映像データ信号、及び前記第２時点映像及び第１時点映像の順に合成された第２立体映像データ信号を含むことを特徴とする請求項１に記載の電子映像機器。
【請求項５】
前記第１立体映像データ信号を表示するための第１サブバリア及び前記第２立体映像データ信号を表示するための第２サブバリアを含むバリアをさらに含むことを特徴とする請求項１に記載の電子映像機器。
【請求項６】
入力信号に対する入力映像信号を生成する段階と、
ユーザが立体映像表示を選択したか否かを判断する段階と、
判断結果、前記立体映像表示を選択した場合に、前記入力信号が平面映像データであれば、前記入力映像信号から第１時点に対応する第１時点映像、及び前記第１時点とは異なっている第２時点に対応する第２時点映像を生成する段階と、
前記第１時点映像及び前記第２時点映像を利用して立体映像データ信号を生成する段階を含み、
前記第１時点映像及び前記第２時点映像を生成する段階において前記入力信号が立体映像データであれば、前記入力映像信号を利用して前記立体映像データ信号を生成することを特徴とする電子映像機器の駆動方法。
【請求項７】
前記立体映像データ信号を生成する段階は、
前記第１時点映像及び第２時点映像の順に合成された第１立体映像データ信号を生成する段階と、
前記第２時点映像及び第１時点映像の順に合成された第２立体映像データ信号を生成する段階を含むことを特徴とする請求項６に記載の電子映像機器の駆動方法。
【請求項８】
前記第１立体映像データ信号を表示するための第１サブバリアが不透過領域となる段階と、
前記第２立体映像データ信号を表示するための第２サブバリアが不透過領域となる段階をさらに含むことを特徴とする請求項７に記載の電子映像機器の駆動方法。
【請求項９】
前記第１時点は左眼時点であり、前記第２時点は右眼時点であることを特徴とする請求項６に記載の電子映像機器の駆動方法。
【発明の詳細な説明】
【技術分野】
【０００１】
本発明は電子映像機器に関し、特に立体映像及び平面映像を表示する電子映像機器及びその駆動方法に関する。
【背景技術】
【０００２】
一般に、人が立体感を感じる要因には生理的な要因と経験的な要因があるが、立体映像表示技術では一般に近距離で立体感を認識する最も大きい要因の両眼視差（ｂｉｎｏｃｕｌａｒ  ｐａｒａｌｌａｘ）を利用して物体の立体感を表現する。立体映像を表示する電子映像機器は光学素子を利用して左右映像を空間的に分離して立体映像に見えるようにする方式を用いる。代表的にはレンチキュラーレンズアレイ（ｌｅｎｔｉｃｕｌａｒ  ｌｅｎｓ  ａｒｒａｙ）を利用する方式とパララックスバリア（ｐａｒａｌｌａｘ  ｂａｒｒｉｅｒ）を利用する方式がある。
【発明の概要】
【発明が解決しようとする課題】
【０００３】
本発明の目的は、ユーザが立体映像表示を制御でき、入力映像が立体映像データの場合に左眼映像と右眼映像に分離する過程を省略できる電子映像機器及びその駆動方法を提供することである。
【課題を解決するための手段】
【０００４】
本発明による電子映像機器は、入力信号の入力映像信号によって立体映像データ信号を生成する制御部と、ユーザの選択及び前記入力信号のパターンにより前記立体映像データ信号の生成を制御するモード選択部を備え、前記制御部は、前記入力映像信号から第１時点に対応する第１時点映像及び前記第１時点とは異なっている第２時点に対応する第２時点映像を生成する３Ｄグラフィックエンジンと、前記第１時点映像及び前記第２時点映像または前記入力映像信号を受信して前記立体映像データ信号を生成する３Ｄチップを含み、前記モード選択部は前記ユーザが立体映像表示を選択した場合に前記入力信号が平面映像データであると、前記入力映像信号が前記３Ｄグラフィックエンジンに入力されるように前記制御部を制御し、前記入力信号が立体映像データであれば前記入力映像信号を前記３Ｄチップに入力されるように前記制御部を制御する。ここで、前記制御部は、前記入力信号の印加を受けて前記入力映像信号を生成し、前記モード選択部によって制御されて前記入力映像信号を前記３Ｄグラフィックエンジン及び３Ｄチップのうちいずれか一つに伝達するＣＰＵをさらに含む。前記第１時点は左眼時点であり、前記第２時点は右眼時点でもある。前記立体映像データ信号は、前記第１時点映像及び第２時点映像順に合成された第１立体映像データ信号及び前記第２時点映像及び第１時点映像順に合成された第２立体映像データ信号を含む。前記第１立体映像データ信号を表示するための第１サブバリア及び前記第２立体映像データ信号を表示するための第２サブバリアを含むバリアをさらに含む。
【０００５】
また、本発明による電子映像機器の駆動方法は、入力信号に対する入力映像信号を生成する段階と、ユーザが立体映像表示を選択したか否かを判断する段階と、判断結果が前記立体映像表示を選択した場合に前記入力信号が平面映像データであれば前記入力映像信号から第１時点に対応する第１時点映像及び前記第１時点とは異なっている第２時点に対応する第２時点映像を生成する段階と、前記第１時点映像及び前記第２時点映像を利用して立体映像データ信号を生成する段階を含み、前記第１時点映像及び前記第２時点映像を生成する段階において前記入力信号が立体映像データであると、前記入力映像信号を利用して前記立体映像データ信号を生成する。ここで、前記立体映像データ信号を生成する段階は、前記第１時点映像及び第２時点映像順に合成された第１立体映像データ信号を生成する段階と、前記第２時点映像及び第１時点映像順に合成された第２立体映像データ信号を生成する段階を含む。また、前記第１立体映像データ信号を表示するための第１サブバリアが不透過領域になる段階と、前記第２立体映像データ信号を表示するための第２サブバリアが不透過領域になる段階をさらに含む。前記第１時点は左眼時点であり前記第２時点は右眼時点である。
【発明の効果】
【０００６】
本発明により、ユーザが立体映像表示を制御でき、入力映像が立体映像データの場合に左眼映像と右眼映像に分離する過程を省略することができる。
【図面の簡単な説明】
【０００７】
【図１】本発明の実施形態による電子映像装置を示したブロック図である。
【図２】図１に示した表示装置を発光ダイオード方式の画素と仮定した場合の等価回路図である。
【図３Ａ】本発明の実施形態による平面／立体映像表示装置の時分割駆動方式を示した図である。
【図３Ｂ】本発明の実施形態による平面／立体映像表示装置の時分割駆動方式を示した図である。
【図４】図１に示された制御部の詳細なブロック図である。
【発明を実施するための形態】
【０００８】
以下、添付図を参照して、本発明の実施形態について本発明が属する技術分野において通常の知識を有する者が容易に実施できるように詳しく説明する。しかし、本発明は多様な形態に具現されるため、ここで説明する実施形態に限られない。また、図面で本発明を明確に説明するために説明上不要な部分は省略し、明細書全体にわたって類似する部分については類似の図面符号を付けた。
【０００９】
明細書全体において、ある部分が他の部分と「接続」されているという時、これは「直接的に接続」されている場合だけでなく、その中間に他の素子を間において「電気的に接続」されている場合も含む。また、ある部分が他の構成要素を「含む」という時、これは特に反対の記載がない限り他の構成要素を除くのではなく他の構成要素をさらに含むことができることを意味する。
【００１０】
以下、本発明の実施形態による電子映像機器及びその駆動方法について説明する。
【００１１】
図１は本発明の実施形態による電子映像装置を示したブロック図であり、図２は図１に示した表示装置を発光ダイオード方式の画素と仮定した場合の等価回路図である。
【００１２】
図１を参照すると、電子映像装置は表示部１００、走査駆動部２００、データ駆動部３００、制御部４００、モード選択部５００及びバリア駆動部６００を含む。
【００１３】
表示部１００は等価回路から見ると、複数の信号線（Ｓ１-Ｓｎ、Ｄ１-Ｄｍ）、複数の電圧線（図示せず）、そしてこれらに接続されていて略行列状に配列された複数の画素１１０を含む。
【００１４】
信号線（Ｓ１-Ｓｎ、Ｄ１-Ｄｍ）は走査信号を伝達する複数の走査線（Ｓ１-Ｓｎ）とデータ信号を伝達する複数のデータ線（Ｄ１-Ｄｍ）を含む。複数の走査線（Ｓ１-Ｓｎ）は行方向に延びていながら互いに殆ど平行であり、複数のデータ線（Ｄ１-Ｄｍ）は列方向に延びていながら互いに殆ど平行する。この時、データ信号は画素１１０の類型により電圧信号（以下、「データ電圧」）または電流信号（以下、「データ電流」）となり、以下ではデータ信号をデータ電圧と仮定して説明する。
【００１５】
図２を参照すると、各画素１１０、例えば、ｉ番目（ｉ=１、２、・・・、ｎ）の走査線（Ｓｉ）とｊ番目（ｊ=１、２、・・・、ｍ）のデータ線（Ｄｊ）に接続された画素１１０は有機発光素子（ＯＬＥＤ）、駆動トランジスター（Ｍ１）、キャパシタ（Ｃ１）及びスイッチングトランジスター（Ｍ２）を含む。
【００１６】
スイッチングトランジスター（Ｍ２）は制御端子、入力端子及び出力端子を有する。制御端子は走査線（Ｓｉ）と接続されており、入力端子はデータ線（Ｄｊ）と接続されており、出力端子は駆動トランジスター（Ｍ１）と接続されている。スイッチングトランジスター（Ｍ２）は走査線（Ｓｉ）に印加される走査信号に応答してデータ線（Ｄｊ）に印加されるデータ信号、つまり、データ電圧を伝達する。
【００１７】
駆動トランジスター（Ｍ１）も、制御端子、入力端子及び出力端子を有する。制御端子はスイッチングトランジスター（Ｍ２）と接続されており、入力端子は駆動電圧（ＶＤＤ）と接続されており、出力端子は有機発光素子（ＯＬＥＤ）と接続されている。駆動トランジスター（Ｍ１）は制御端子と出力端子の間にかかる電圧に応じてその大きさが変わる電流（ＩＯＬＥＤ）を流す。
【００１８】
キャパシタ（Ｃ１）は駆動トランジスター（Ｍ１）の制御端子と入力端子の間に接続されている。キャパシタ（Ｃ１）は駆動トランジスター（Ｍ１）の制御端子に印加されるデータ電圧を充電しスイッチングトランジスター（Ｍ２）が遮断された後にもこれを維持する。
【００１９】
有機発光素子（ＯＬＥＤ）は図２に示すような有機発光ダイオード（Ｏｒｇａｎｉｃ  Ｌｉｇｈｔ  Ｅｍｉｔｔｉｎｇ  Ｄｉｏｄｅ）であってもよく、駆動トランジスター（Ｍ１）の出力端子と接続されているアノード（ａｎｏｄｅ）と、共通電圧（ＶＳＳ）と接続されているカソード（ｃａｔｈｏｄｅ）とを有する。有機発光素子（ＯＬＥＤ）は駆動トランジスター（Ｍ１）の出力電流（ＩＯＬＥＤ）により強さを異ならせて発光することによって映像を表示する。
【００２０】
有機発光素子（ＯＬＥＤ）は基本色（ｐｒｉｍａｒｙ  ｃｏｌｏｒ）のうち一つの光を発光できる。基本色の例としては加法混色の赤色、緑色、青色の三原色を挙げられ、これら三原色の空間的合計または時間的合計（画素空間内で残像時間内に光エネルギーを空間的・時間的に積分したもの）で望む色を表示する。この場合に一部の有機発光素子（ＯＬＥＤ）は白色光を発光でき、こうすると輝度が高まる。これとは異なって、すべての画素１１０の有機発光素子（ＯＬＥＤ）が白色光を発光でき、一部の画素１１０は有機発光素子（ＯＬＥＤ）から発光される白色光を基本色のうちいずれか一色に変える色フィルター（図示せず）をさらに含むことができる。
【００２１】
スイッチングトランジスター（Ｍ２）及び駆動トランジスター（Ｍ１）はｐ-チャンネル電界効果トランジスター（ｆｉｅｌｄ  ｅｆｆｅｃｔ  ｔｒａｎｓｉｓｔｏｒ、ＦＥＴ）である。この場合、制御端子、入力端子及び出力端子は各々ゲート、ソース及びドレーンに相当する。しかし、スイッチングトランジスター（Ｍ２）と駆動トランジスター（Ｍ１）のうち少なくとも一つはｎ-チャンネル電界効果トランジスターでありうる。また、トランジスター（Ｍ１、Ｍ２）、キャパシタ（Ｃ１）及び有機発光素子（ＯＬＥＤ）の接続関係が変わることもありうる。
【００２２】
図２に示した画素１１０は表示装置の或る画素の一例であり、少なくとも二つのトランジスターまたは少なくとも一つのキャパシタを含む異なる形態の画素を用いることができる。また前述したように、データ電流をデータ信号として受信する画素が使われることもありうる。
【００２３】
再び、図１を参照すると、走査駆動部２００は表示部１００の走査線（Ｓ１-Ｓｎ）と接続されており、データ制御信号（ＣＯＮＴ２）により走査線（Ｓ１-Ｓｎ）に順次に走査信号を印加する。走査信号はスイッチングトランジスター（Ｍ２）を導通状態にできるゲートオン電圧（Ｖｏｎ）とスイッチングトランジスター（Ｍ２）を遮断状態にできるゲートオフ電圧（Ｖｏｆｆ）の組み合わせで構成される。スイッチングトランジスター（Ｍ２）がｐ-チャンネル電界効果トランジスターの場合、ゲートオン電圧（Ｖｏｎ）とゲートオフ電圧（Ｖｏｆｆ）は各々低電圧と高電圧である。
【００２４】
データ駆動部３００は表示部１００のデータ線（Ｄ１-Ｄｍ）と接続されており、走査制御信号（ＣＯＮＴ１）により制御部４００から入力されるデータ信号（ＲＧＢ各色のデータレベルをデジタル化したＤＲ、ＤＧ、ＤＢ映像データ信号）をアナログ形式データ電圧に変換してデータ線（Ｄ１-Ｄｍ）に印加する。
【００２５】
制御部４００は外部から入力信号（ＩＳ）を受信して、映像データ信号（ＤＲ、ＤＧ、ＤＢ）、走査制御信号（ＣＯＮＴ１）、データ制御信号（ＣＯＮＴ２）及びバリア駆動制御信号（ＣＯＮＴ３）を生成する。ここで、入力信号（ＩＳ）は一般的な平面映像データまたは各観察時点（ｐｏｉｎｔ  ｏｆ  ｖｉｅｗ）映像データを含む立体映像データのうちのいずれか一つであり、表示部１００に平面映像と立体映像が共に表示される場合に平面映像データ及び立体映像データを全て含むことができる。そして、映像データ信号（ＤＲ、ＤＧ、ＤＢ）は立体映像のための映像データ信号（以下、「立体映像データ信号」という）及び平面映像のための映像データ信号（以下、「平面映像データ信号」という）を含む。制御部４００は入力信号（ＩＳ）及びモード選択信号（ＭＳ）により映像データ信号を生成するが、これに関する説明は後述する。
【００２６】
モード選択部５００はユーザの望む映像形態に応じて制御部４００を制御する。モード選択部５００は電子映像機器のユーザメニューに含まれたり別途のスイッチで実現でき、ユーザによって導通／遮断されて、ユーザの選択により入力信号（ＩＳ）に関らずに立体映像をユーザに提供することができるようにする。具体的には、モード選択部５００はユーザが立体映像を選択すると、入力信号（ＩＳ）が立体映像データであるか否かを判断する。入力信号（ＩＳ）が立体映像データでない平面映像データだけを含む場合、制御部４００に立体映像のための映像データ信号（立体映像データ信号）を生成するよう指示する。ユーザが選択した映像パターンと入力信号（ＩＳ）のパターンが同一であればモード選択部５００は別途の指示を制御部４００に伝達しない。モード選択部５００は制御部４００にモード選択信号（ＭＳ）を伝達して指示を伝達できる。具体的に、モード選択信号（ＭＳ）は２種類のレベルを有し、ハイレベルの場合には平面映像データを立体映像データ信号に生成するように制御部４００に指示し、ローレベルの場合は入力信号通り映像データ信号を生成するように制御部４００に指示する。
【００２７】
バリア駆動部６００はバリア駆動部制御信号（ＣＯＮＴ３）によりバリア層１５０を駆動する。本発明の実施形態による電子映像機器は立体映像を表示する方式で時分割駆動方式を採択している。
【００２８】
バリア駆動部６００も時分割駆動方式で動作する。以下、図３を参照して本発明の実施形態による時分割駆動方式について説明する。
【００２９】
図３Ａ及び図３Ｂは本発明の実施形態による平面／立体映像表示装置の時分割駆動方式を示した図である。
【００３０】
時分割駆動方式は、１）光源を左右で交互に動作させ、プリズムとレンチキュラーレンズの組み合わせで構成された光学素子を利用して左右を時分割に区分する方法と、２）液晶バリアで光が通過するスリットを既存の一つに該当する区間を多数に分けて表示するイメージに同期させてスリットを移動させる方式がある。本発明の実施形態による電子映像機器は、２）の方法で駆動されると想定して説明する。しかし、本発明はこれに限定されることなく、１）の方法を使用する場合、液晶バリアの代わりに光源及びプリズムとレンチキュラーレンズの組み合わせで構成された光学素子を利用することができる。また、図３Ａ及び図３Ｂは基本的に両眼の場合を説明したが、本発明はこれに限定されず、多眼の場合にも同じ原理で動作する。
【００３１】
まず、図３Ａは一つのフレームを期間（Ｔ１）及び期間（Ｔ２）の２期間に分けて時分割駆動した時、期間（Ｔ１）の間の左眼映像及び右眼映像順に合成された映像（以下、「左右映像」という）がユーザに表示されることを示した図面である。図３Ｂは２番目期間（Ｔ２）中の右眼映像及び左眼映像順に合成された映像（以下、「右左映像」という）がユーザに表示されることを示した図面である。期間（Ｔ１）及び期間（Ｔ２）各々はデータ記入期間（Ｗ１、Ｗ２）及び維持期間（Ｈ１、Ｈ２）に区分される。記入期間中に新たな映像が表示されて画面全体に新たな映像記入が完了すると、維持期間中はその画面が維持される。
【００３２】
期間（Ｔ１）において、図３Ａの表示部１００の奇数画素（ＯＰ）は左眼用画素、偶数画素（ＥＰ）は右眼用画素である。この時、バリア層１５０の奇数画素（ＢＯＰ）は不透過領域となり、偶数画素（ＢＥＰ）は透過領域となる。すると、図３Ａで示されているように、左眼映像が左眼に、右眼映像は右眼に投射される経路が形成される。奇数画素（ＯＰ）から投射される左眼用映像は右眼用映像に対して所定の不均衡を有する映像に形成され、偶数画素（ＥＰ）から投射される右眼用映像は左眼用映像に対して所定の不均衡を有する映像に形成される。従って、ユーザは奇数画素（ＯＰ）から投射される左眼用映像及び偶数画素（ＥＰ）から投射される右眼用映像を各々観察者の左眼及び右眼で認識する時、実際立体対象物を左眼右眼を通して見るような奥行き情報を得るようになって立体感を感じるようになる。
【００３３】
そして、次の図３Ｂで表示部１００の奇数画素（ＯＰ）が右眼用画素であり、偶数画素（ＥＰ）は左眼用画素である。この時、バリア層１５０の奇数画素（ＢＯＰ）は透過領域となり、偶数画素（ＢＥＰ）は不透過領域となる。以下、図３Ｂに示されているように、左眼映像が左眼に、右眼映像は右眼に投射される経路が形成される。奇数画素（ＯＰ）から投射される右眼用映像は左眼用映像に対して所定の不均衡を有する映像に形成され、偶数画素（ＥＰ）から投射される左眼用映像は右眼用映像に対して所定の偏差（ｄｉｓｐａｒｉｔｙ）を有する映像に形成される。従って、ユーザは奇数画素（ＯＰ）から投射される右眼用映像及び偶数画素（ＥＰ）から投射される左眼用映像を各々観察者の右眼及び左眼で認識する時、実際立体対象物を左眼右眼を通して見るような奥行き情報を得るようになって立体感を感じるようになる。
【００３４】
このように、期間（Ｔ１）では奇数画素が左眼に、偶数画素が右眼に表示されて、期間（Ｔ２）では奇数画素が右眼に、偶数画素が左眼に表示される。従って、ユーザは平面映像のような解像度の立体映像を見ることができる。
【００３５】
図４は図１に示された制御部４００の詳細ブロック図であり、図４では立体映像データを生成するための構成だけを具体的に図示して説明する。
【００３６】
図４を参照すると、制御部４００はＣＰＵ４１０、３Ｄグラフィックエンジン４２０及び３Ｄチップ４３０を含む。
【００３７】
ＣＰＵ４１０は入力信号（ＩＳ）の印加を受けて、入力映像信号（ＩＤ）、水平同期信号（Ｈｓｙｎｃ）及び垂直同期信号（Ｖｓｙｎｃ）を生成し、入力信号（ＩＳ）及びモード選択信号（ＭＳ）により入力映像信号（ＩＤ）を３Ｄグラフィックエンジン４２０及び３Ｄチップ４３０のうちいずれか一つに伝達する。これに関する説明は後で動作説明と共に詳しく記述する。
【００３８】
３Ｄグラフィックエンジン４２０は入力映像信号（ＩＤ）の印加を受けて、左眼映像信号（ＩＤ_Ｌ）及び右眼映像信号（ＩＤ_Ｒ）を生成する。３Ｄチップ４３０は左眼及び右眼映像信号（ＩＤ_Ｌ、ＩＤ_Ｒ）と入力映像信号（ＩＤ）のうちいずれか一つの印加を受けて、映像データ信号（ＤＲ、ＤＧ、ＤＢ）、走査制御信号（ＣＯＮＴ１）、データ制御信号（ＣＯＮＴ２）及びバリア駆動制御信号（ＣＯＮＴ３）を生成する。ここで、３Ｄチップ４３０は表示部１００に立体映像及び平面映像中どの映像を表示するのかによって映像データ信号（ＤＲ、ＤＧ、ＤＢ）、走査制御信号（ＣＯＮＴ１）、データ制御信号（ＣＯＮＴ２）及びバリア駆動制御信号（ＣＯＮＴ３）の周波数を決定する。具体的には、平面映像が表示される時、３Ｄチップは周波数６０Ｈｚにより映像データ信号（ＤＲ、ＤＧ、ＤＢ）、走査制御信号（ＣＯＮＴ１）、データ制御信号（ＣＯＮＴ２）及びバリア駆動制御信号（ＣＯＮＴ３）を生成し、立体映像が表示される時は周波数１２０Ｈｚにより映像データ信号（ＤＲ、ＤＧ、ＤＢ）、走査制御信号（ＣＯＮＴ１）、データ制御信号（ＣＯＮＴ２）及びバリア駆動制御信号（ＣＯＮＴ３）を生成する。走査制御信号（ＣＯＮＴ１）は走査開始を指示する走査開始信号及び第１クロック信号を含む。この時、本発明の実施形態による走査開始信号は１フレームの映像データ伝達の開始を指示する垂直同期信号（Ｖｓｙｎｃ）に同期されて１フレームの映像を表示部に表示し始める時点を制御する信号であり、第１クロック信号は一本の画素行に対する入力映像データ伝達を指示する水平同期信号（Ｈｓｙｎｃ）に同期されて、複数の走査線（Ｓ１-Ｓｎ）各々に選択信号を伝達する時点を制御する信号である。データ制御信号（ＣＯＮＴ２）は水平同期信号（Ｈｓｙｎｃ）に同期されて一定の周期を有する第２クロック信号及びデータ信号伝達の開始を制御する水平同期開始信号などを含む。そして、バリア駆動制御信号（ＣＯＮＴ３）はバリア層１５０を制御する信号である。
【００３９】
このような構成を有する本発明による電子映像機器の駆動方法について説明する。
【００４０】
まず、モード選択信号（ＭＳ）がハイレベルであり入力信号（ＩＳ）が平面映像データであれば、ＣＰＵ４１０は入力映像信号（ＩＤ）を３Ｄグラフィックエンジン４２０に伝達する。３Ｄグラフィックエンジン４２０は左眼及び右眼映像（ＩＤ_Ｌ、ＩＤ_Ｒ）を生成して３Ｄチップ４３０に伝達する。３Ｄチップ４３０は左眼及び右眼映像（ＩＤ_Ｌ、ＩＤ_Ｒ）を合成して時分割駆動方式に適当な立体映像データ信号を生成する。そして、入力信号（ＩＳ）が立体映像データであれば、ＣＰＵ４１０は入力映像信号（ＩＤ）を３Ｄチップ４３０に直ちに伝達する。３Ｄチップ４３０は入力映像信号（ＩＤ）が立体映像データとして左眼及び右眼映像データを含んでいるならば、これを合成して時分割駆動方式に適当な立体映像データ信号を生成する。
【００４１】
一方、モード選択信号（ＭＳ）がローレベルであり入力信号（ＩＳ）が立体映像データであれば、ＣＰＵ４１０は入力映像信号（ＩＤ）を３Ｄチップ４３０に伝達して立体映像データ信号を生成する。そして、入力信号（ＩＳ）が平面映像データであれば制御部４００は平面映像データ信号を生成する。
【００４２】
このように、本発明の実施形態による電子映像機器及びその駆動方法はユーザが立体映像表示を制御でき、入力映像が立体映像データの場合に左眼映像と右眼映像に分離する過程を省略できる。
【００４３】
以上、本発明の実施形態について詳細に説明したが、本発明の権利範囲はこれに限定されるのではなく、特許請求の範囲で定義している本発明の基本概念を利用した当業者の多様な変形及び改良形態も本発明の権利範囲に属する。
【符号の説明】
【００４４】
１００      電子映像装置の表示部
１１０      画素
１５０      バリア層
２００      走査駆動部
３００      データ駆動部
４００      制御部
４１０      ＣＰＵ
４２０      ３Ｄグラフィックエンジン
４３０      ３Ｄチップ
５００      モード選択部
６００      バリア駆動部
【図１】
2010183555.tif 000003
【図２】
2010183555.tif 000004
【図３Ａ】
2010183555.tif 000005
【図３Ｂ】
2010183555.tif 000006
【図４】
2010183555.tif 000007